(57)【要約】【課題】エンジンアンダーカバーの下方からエンジンルーム内に冷却風を流入させる通気口を設けても、エンジンアンダーカバー上に異物が堆積することを抑制する。【解決手段】車両前方側からエンジンの下方に至る領域に配置されるエンジンアンダーカバー１と、エンジンアンダーカバー１の後方に配置されたフロントサスペンションメンバ４と、を含む車両下部構造であって、エンジンアンダーカバー１の後端部１１と、フロントサスペンションメンバ４の前端との間に車両外部とエンジンルームとを連通する通気口１２が形成され、エンジンアンダーカバー１の後端部１１は車両後方かつ上方に向かって斜めに延びており、フロントサスペンションメンバ４の車両前方側側面４１は車両後方かつ上方に向かって斜めに傾いている。【選択図】図３
2020059381.tif 000002
【特許請求の範囲】
【請求項１】
車両前方側からエンジンの下方に至る領域に配置されるエンジンアンダーカバーと、前記エンジンアンダーカバーの後方に配置されたフロントサスペンションメンバと、を含む車両下部構造であって、
前記エンジンアンダーカバーの後端部と、前記フロントサスペンションメンバの前端との間に車両外部とエンジンルームとを連通する通気口が形成され、
前記エンジンアンダーカバーの前記後端部は車両後方かつ上方に向かって斜めに延びており、
前記フロントサスペンションメンバの車両前方側側面は車両後方かつ上方に向かって斜めに傾いていること、を特徴とする車両下部構造。
【発明の詳細な説明】
【技術分野】
【０００１】
本発明は、車両下部構造、特にエンジンアンダーカバーとフロントサスペンションメンバの形状に関する。
【背景技術】
【０００２】
エンジンアンダーカバーの車両前後方向の中央付近に開口部を設け、車両走行時に開口部から流入する冷却風によりエンジンを冷却する車両下部構造が特許文献１で開示されている。
【先行技術文献】
【特許文献】
【０００３】
【特許文献１】特開２０１３−１８０６０９号公報
【発明の概要】
【発明が解決しようとする課題】
【０００４】
しかし、エンジンアンダーカバーの車両前後方向の中央付近に開口部を設けると、路面から跳ね上げられた石や雪などの異物が開口部からエンジンルーム内に侵入してエンジンアンダーカバーの開口部より後側に堆積し、その重みによりエンジンアンダーカバーの脱落や破損が生じるおそれがある。
【０００５】
そこで、本発明は、エンジンアンダーカバーの下方からエンジンルーム内に冷却風を流入させる通気口を設けても、エンジンアンダーカバー上に異物が堆積することを抑制することを目的とする。
【課題を解決するための手段】
【０００６】
本発明に係る車両下部構造は、車両前方側からエンジンの下方に至る領域に配置されるエンジンアンダーカバーと、エンジンアンダーカバーの後方に配置されたフロントサスペンションメンバと、を含む車両下部構造であって、エンジンアンダーカバーの後端部と、フロントサスペンションメンバの前端との間に車両外部とエンジンルームとを連通する通気口が形成され、エンジンアンダーカバーの後端部は車両後方かつ上方に向かって斜めに延びており、フロントサスペンションメンバの車両前方側側面は車両後方かつ上方に向かって斜めに傾いていること、を特徴とする。
【発明の効果】
【０００７】
本発明は、エンジンアンダーカバーの後端部より後方に通気口が形成され、石などの異物が通気口からエンジンルーム内に侵入しても、フロントサスペンションメンバの傾斜した前方側側面に接触して通気口から車外に排出されるため、エンジンアンダーカバー上に異物が堆積することを抑制することができる。
【図面の簡単な説明】
【０００８】
【図１】本開示の実施形態の車両下部構造を車両下方から見た図である。
【図２】図１の部分Ａを拡大して示した図である。
【図３】図２におけるＢ―Ｂ線断面図である。
【図４】比較例１のエンジンアンダーカバーの断面図である。
【発明を実施するための形態】
【０００９】
以下、図面を参照しながら、実施形態の車両下部構造１０について説明する。以下説明する各図に示す矢印ＦＲ、矢印ＵＰ、矢印ＲＨは、車両の前方向（進行方向）、上方向、右方向をそれぞれ示している。また、各矢印ＦＲ、ＵＰ、ＲＨの反対方向は、それぞれ車両後方向、下方向、左方向を示す。以下、単に前後、左右、上下の方向を用いて説明する場合は、特に断りのない限り、車両前後方向の前後、車両左右方向（車両幅方向）の左右、車両上下方向の上下を示すものとする。
【００１０】
図１は、実施形態の車両下部構造１０を車両下方から見た図であり、車両幅方向の両端に右前輪２及び左前輪３が配置されている。エンジンアンダーカバー１は、車両前方にエンジンが配置された車両において、車両前方側からエンジンの下方に至る領域に配置される。
【００１１】
図１の一点鎖線で囲われた部分Ａを拡大して示した図が図２であり、図２のＢ−Ｂ線断面図が図３である。図２及び図３に示すように、エンジンアンダーカバー１の後方にはフロントサスペンションメンバ４が配置される。エンジンアンダーカバー１の後端部１１と、フロントサスペンションメンバ４の前端との間には、車両外部とエンジンルームとを連通する通気口１２が形成されている。
【００１２】
図３に示すように、エンジンアンダーカバー１の後端部１１は、車両後方かつ上方に向かって斜めに延びている。そして、フロントサスペンションメンバ４の前方側側面４１は、車両後方かつ上方に向かって斜めに傾いている。車両走行中には、エンジンアンダーカバー１の下の風の流れが後端部１１の傾斜に沿って通気口１２からエンジンルーム内に取り込まれる。そして、通気口１２からエンジンルーム内に取り込まれた風は、フロントサスペンションメンバ４の傾斜した前方側側面４１に当たって風向きが変わり、プロペラシャフト５のジョイント部５１に当たって、ジョイント部５１を冷却する。これらの風の流れを図３に矢印で示す。
【００１３】
路面から跳ね上げられた石や雪などの異物が通気口１２からエンジンルーム内に侵入した場合、通気口１２より後方のフロントサスペンションメンバ４の前方側側面４１に接触し、傾斜した前方側側面４１には堆積せず、通気口１２から車外に排出される。そのため、車両下部構造１０では、エンジンアンダーカバー１の上に異物が堆積することを抑制することができる。
【００１４】
次に、本実施形態と比較するために、車両前後方向の中央付近に通気口６３が形成された比較例１のエンジンアンダーカバー６について述べる。図４は、比較例１のエンジンアンダーカバー６を車両側方から見た断面図である。エンジンアンダーカバー６は、アンダーカバー前部６１とアンダーカバー後部６２とを備え、アンダーカバー前部６１とアンダーカバー後部６２との間に通気口６３が形成されている。アンダーカバー前部６１の後端部６４は、車両後方かつ上方に向かって斜めに延びている。車両走行中には、アンダーカバー前部６１の下の風の流れが後端部６４の傾斜に沿って通気口６３からエンジンルーム内に流れ込む冷却風によってエンジン等が冷却される。この風の流れを、図４に矢印で示す。
【００１５】
図４に示すように、エンジンアンダーカバー６の車両前後方向の中央付近に通気口６３を設けた場合、路面から跳ね上げられた石や雪などの異物が通気口６３からエンジンルーム内に侵入すると、アンダーカバー後部６２は平坦なため、異物は通気口６３から排出されず、アンダーカバー後部６２に異物が堆積する。その結果、異物の重みによりエンジンアンダーカバー６の脱落や破損が生じるおそれがある。
【００１６】
本開示の車両下部構造は、上述した形態に限定されず、本開示の要旨の範囲内において種々の形態にて実施できる。例えば、通気口１２からエンジンルーム内に流入させた冷却風で冷却する対象は、プロペラシャフト５のジョイント部５１以外の物であってもよい。
【符号の説明】
【００１７】
１、６  エンジンアンダーカバー、２  右前輪、３  左前輪、４  フロントサスペンションメンバ、５  プロペラシャフト、１０  車両下部構造、１１、６４  後端部、１２、６３  通気口、４１  前方側側面、５１  ジョイント部、６１  アンダーカバー前部、６２  アンダーカバー後部。
【図１】
2020059381.tif 000003
【図２】
2020059381.tif 000004
【図３】
2020059381.tif 000005
【図４】
2020059381.tif 000006